(57)【要約】      （修正有）【課題】蓄勢によりプレート体を常態下で開いた状態にし、回転させると閉まる構造により、レンズ面を保護する機能と、遮光機能とを備えるレンズカバーを提供する。【解決手段】レンズカバー１０は、フード２０、フレーム３０及び２つのプレート体４０、５０を備える。フードは、レンズに着脱自在な結合部２１と、結合部から延伸されるリング部２３と維持部２２と、維持部の内リング面２５に設けられる２つのトラック２６と切欠き部２８を有する。フレームは、トラックに係合する溝部３５と、内側面に突設され軸ブロック３６を有する。プレート体は、軸ブロックに枢着する短軸４５、５５を有し、プレート体が折り畳まれると、先端部４３、５３が切欠き部を通過し、トラックに係合される。【選択図】図１
0003171290.tif 000002
【実用新案登録請求の範囲】
【請求項１】
フード、フレーム及び２つのプレート体を備えるレンズカバーであって、
前記フードは、着脱自在にレンズに取り付けられ、
前記フレームは、前記フード内で、内リング面に沿って回動し、
前記プレート体は、前記フレームにそれぞれ対称的に取り付けられ、弾性力により常態下で外側に開いた状態であり、前記プレート体は、前記フレームが回転されると、前記フードの開口部が閉じられることを特徴とするレンズカバー。
【請求項２】
前記フードは、前記レンズに着脱自在に取り付けられる結合部と、半径方向に沿って前記結合部から外側に延伸されたリング部と、前記結合部より直径が大きく、前記リング部に接続された維持部と、前記維持部の前記内リング面に突設された２つのトラックと、前記トラックの端部間に形成された２つの切欠き部と、を有し、
前記フレームは、前記トラックと凹凸方式により係合される２つの溝部と、互いに対向するように内側面に突設された軸ブロックと、を有し、
前記プレート体のそれぞれは、前記軸ブロックに枢着する１対の短軸と、前記プレート体が折り畳まれると前記切欠き部を通過し、前記フレームが回転されると前記トラックに係合される２つの先端部と、を有することを特徴とする請求項１に記載のレンズカバー。
【請求項３】
前記結合部は、薄いリング状であり、一方の端部が前記リング部と一体成形され、他方の端部に軌道が形成され、
前記リング部は、複数の係止孔を有し、前記係止孔と同じ数の係止部を有する前記維持部と係合されることを特徴とする請求項２に記載のレンズカバー。
【請求項４】
前記結合部、前記リング部及び前記維持部は、一体成形されることを特徴とする請求項２に記載のレンズカバー。
【請求項５】
前記維持部は、互いに対向した２つの遮光部が縁部にそれぞれ突設され、突設された前記トラックを有し、前記フレームの前記フードが回転される際にストッパ部により規制されることを特徴とする請求項２、３又は４に記載のレンズカバー。
【請求項６】
前記フレームは、１対の接続部を有し、
前記１対の接続部は、前記フレームの周縁に互いに対向して突設され、
前記フレームは、前記フード内で回転されると、前記ストッパ部に接触し、
前記接続部の外表面には、前記維持部に対応するように前記溝部が凹設され、前記接続部の内側に前記軸ブロックが突設されることを特徴とする請求項５に記載のレンズカバー。
【請求項７】
前記プレート体は、前記軸ブロックのトーションバネに貫設される短軸を有し、
前記トーションバネは、前記フレームに当接される第１の脚部と、前記プレート体に当接される第２の脚部と、を有することを特徴とする請求項２に記載のレンズカバー。
【請求項８】
前記プレート体の周縁には、弧状縁部及び相対縁部が設けられ、前記弧状縁部と前記相対縁部との接続箇所には、先端部がそれぞれ形成され、
前記フード内に前記プレート体を折り畳んで収納することが可能なように、前記先端部間の直線長さが前記維持部の直径より小さいことを特徴とする請求項２又は７に記載のレンズカバー。
【請求項９】
一方の前記プレート体には、折り畳んだときに、他方の前記プレート体の積層部上を覆う凸縁部を有することを特徴とする請求項８に記載のレンズカバー。
【請求項１０】
前記凸縁部は、前記一方のプレート体の前記相対縁部の表面から外側に延伸され、
前記積層部は、前記他方のプレート体の前記相対縁部から外側に延伸されることを特徴とする請求項９に記載のレンズカバー。
【考案の詳細な説明】
【技術分野】
【０００１】
本考案は、レンズを保護する技術に関し、特に、遮光機能を有するレンズカバーに関する。
【背景技術】
【０００２】
一般にカメラ、監視装置又は撮影装置に取り付けるレンズには、衝撃により損壊されることを防ぐとともに、レンズ面が埃により汚れて画質に悪影響を及ぼさないように、レンズがレンズカバーにより保護されている。しかし、従来のレンズカバーは、撮影を行う際、必ずレンズから外さなければならず非常に不便である。
【０００３】
また、撮影を行う際、不必要な光線を遮断するとともに、水滴がレンズ面に付着してスミアなどが発生して画質が低下することを防ぐために、レンズの前方に遮光カバーを取り付けたものもある。しかし、従来の遮光カバーは、レンズカバーと異なり、互いに独立した２つの部品により、遮光機能及び防水機能を得ることができる上、撮影を便利に行うことができるが、レンズ面を保護することはできなかった。
【０００４】
そのため、遮光機能及び防水機能を備えたレンズカバーが求められていた。
【考案の概要】
【考案が解決しようとする課題】
【０００５】
本考案は、蓄勢によりプレート体を常態下で開いた状態にし、回転させると閉まる構造により、レンズ面を保護する機能と、遮光機能とを備えるレンズカバーを提供することを課題とする。
【課題を解決するための手段】
【０００６】
上記課題を解決するために、本考案の第１の形態によれば、フード、フレーム及び２つのプレート体を備えるレンズカバーであって、前記フードは、着脱自在にレンズに取り付けられ、前記フレームは、前記フード内で、内リング面に沿って回動し、前記プレート体は、前記フレームにそれぞれ対称的に取り付けられ、弾性力により常態下で外側に開いた状態であり、前記プレート体は、前記フレームが回転されると、前記フードの開口部が閉じられることを特徴とするレンズカバーが提供される。
【０００７】
前記フードは、前記レンズに着脱自在に取り付けられる結合部と、半径方向に沿って前記結合部から外側に延伸されたリング部と、前記結合部より直径が大きく、前記リング部に接続された維持部と、前記維持部の前記内リング面に突設された２つのトラックと、前記トラックの端部間に形成された２つの切欠き部と、を有し、前記フレームは、前記トラックと凹凸方式により係合される２つの溝部と、互いに対向するように内側面に突設された軸ブロックと、を有し、前記プレート体のそれぞれは、前記軸ブロックに枢着する１対の短軸と、前記プレート体が折り畳まれると前記切欠き部を通過し、前記フレームが回転されると前記トラックに係合される２つの先端部と、を有することが好ましい。
【０００８】
前記結合部は、薄いリング状であり、一方の端部が前記リング部と一体成形され、他方の端部に軌道が形成され、前記リング部は、複数の係止孔を有し、前記係止孔と同じ数の係止部を有する前記維持部と係合されることが好ましい。
【０００９】
前記結合部、前記リング部及び前記維持部は、一体成形されることが好ましい。
【００１０】
前記維持部は、互いに対向した２つの遮光部が縁部にそれぞれ突設され、突設された前記トラックを有し、前記フレームの前記フードが回転される際にストッパ部により規制されることが好ましい。
【００１１】
前記フレームは、１対の接続部を有し、前記１対の接続部は、前記フレームの周縁に互いに対向して突設され、前記フレームは、前記フード内で回転されると、前記ストッパ部に接触し、前記接続部の外表面には、前記維持部に対応するように前記溝部が凹設され、前記接続部の内側に前記軸ブロックが突設されることが好ましい。
【００１２】
前記プレート体は、前記軸ブロックのトーションバネに貫設される短軸を有し、前記トーションバネは、前記フレームに当接される第１の脚部と、前記プレート体に当接される第２の脚部と、を有することが好ましい。
【００１３】
前記プレート体の周縁には、弧状縁部及び相対縁部が設けられ、前記弧状縁部と前記相対縁部との接続箇所には、先端部がそれぞれ形成され、前記フード内に前記プレート体を折り畳んで収納することが可能なように、前記先端部間の直線長さが前記維持部の直径より小さいことが好ましい。
【００１４】
一方の前記プレート体には、折り畳んだときに、他方の前記プレート体の積層部上を覆う凸縁部を有することが好ましい。
【００１５】
前記凸縁部は、前記一方のプレート体の前記相対縁部の表面から外側に延伸され、前記積層部は、前記他方のプレート体の前記相対縁部から外側に延伸されることが好ましい。
【考案の効果】
【００１６】
本考案のレンズカバーは、レンズに取り付けることが可能で、外側に開かれたプレート体により遮光効果を得て、２つのプレート体を折り畳んでフードの開口部を閉じることによりレンズを保護する効果を得ることができる。
【図面の簡単な説明】
【００１７】
【図１】本考案の第１実施形態によるレンズカバーを示す分解斜視図である。
【図２】本考案の第１実施形態によるレンズカバーにより遮光を行うときの状態を示す斜視図である。
【図３】本考案の第１実施形態によるレンズカバーを示す部分断面斜視図である。
【図４】図２の線Ａ−Ａに沿った断面図である。
【図５】本考案の第１実施形態によるレンズカバーを閉じたときの初期状態を示す斜視図である。
【図６】図５の丸で囲んだ箇所を示す部分拡大図である。
【図７】本考案の第１実施形態によるレンズカバーを閉じたときの後期状態を示す斜視図である。
【図８】図７の線Ｂ−Ｂに沿った断面図である。
【図９】図７の丸で囲んだ箇所を示す部分拡大図である。
【図１０】本考案の第１実施形態によるレンズカバーをレンズに取り付けるときの状態を示す斜視図である。
【図１１】本考案の第１実施形態によるレンズカバーをカメラのレンズに取付けたときの状態を示す斜視図である。
【図１２】本考案の第２実施形態によるレンズカバーを示す分解斜視図である。
【図１３】本考案の第２実施形態による第１のユニットと第２のユニットとを結合したときの状態を示す部分断面斜視図である。
【図１４】本考案の第２実施形態による組み合わせ式レンズカバーの端部を示す正面図である。
【図１５】本考案の第２実施形態による第１のユニットのスイッチを使用するときの状態を示す断面図である。
【図１６】本考案の第２実施形態による押圧部材とレンズとの対応関係を示す拡大図である。
【考案を実施するための形態】
【００１８】
以下、本考案のレンズカバーの実施形態について、図面を参照しながら説明する。
【００１９】
図１〜図３を参照する。図１〜図３に示すように、本考案の一実施形態によるレンズカバー１０は、少なくともフード２０、フレーム３０、第１のプレート体４０及び第２のプレート体５０から構成される。フード２０は、撮影装置に着脱自在に取り付けられている。フレーム３０は、フード２０の内部に回動可能に配置されている。第１のプレート体４０と第２のプレート体５０とは、互いに対向するようにフレーム３０に取付けられ、弾性力により外側に起こして開いたり、折り畳んで閉じたりすることが可能であり、フレーム３０を回転させると、フード２０の開口が閉じる。
【００２０】
フード２０は、薄いリング状であり、小さな直径の結合部２１と、大きな直径の維持部２２と、を有する。結合部２１と維持部２２との間には、両者の直径差を補うために、半径方向に沿ってリング部２３が設けられている。
【００２１】
結合部２１には、レンズに螺設するために、雌ネジ又は雄ネジ（図示せず）が必要に応じて配置されてもよい。このレンズには、監視装置又は撮影装置のレンズ７０（図１０参照）が含まれる。当然、フード２０は、カメラ７１のレンズ上に設置して使用することが可能である（図１１参照）。
【００２２】
維持部２２の周縁には、１対の遮光部２４が設けられている。１対の遮光部２４は、形状が対称的であり、維持部２２の残りの周縁より高く形成され、維持部２２の内リング面２５が２つのトラック２６から突設されている。トラック２６は、突設されたストッパ部２７を有し、遮光部２４が設けられた箇所に両端が位置し、もう一つのトラック２６の端部から所定距離離れた箇所に、１対の切欠き部２８が設けられている。
【００２３】
本実施形態のフレーム３０は、不連続の弧状体であり、第１の端部３１及び第２の端部３２が両端部に画成され、凹凸状を組み合わして重ねることにより、フレーム３０の円周が小さくなって維持部２２内に配置され、緩めると弾性回復力により復位され、リング部２３とトラック２６との間に制限される。フレーム３０を回転させ、互いに重ねられた第１の端部３１と第２の端部３２とを切欠き部２８へ移動させ、両端部３１，３２にピン３３を貫設させると、外力によりフレーム３０の形状が変形することを防ぐことができる。そのため、フード２０が自然に外れることがない。
【００２４】
フレーム３０の周縁には、１対の接続部３４が軸方向で突設される。これら２つの接続部３４は、互いに対向した対称的な形状である上、各接続部３４の外側に溝部３５が凹設され、トラック２６に対応するように凹凸方式で組み合わされ、フレーム３０を案内し、ストッパ部２７に接触するまで、内リング面２５に沿って回動し、フード２０の周縁の窪み部に対応した箇所まで接続部３４を移動させる。接続部３４には、１対の軸ブロック３６が内側面に突設されている。軸ブロック３６に隣接した箇所には、軸方向溝３７が設けられている。本実施形態の軸方向溝３７は、２つの長尺物の間に設けられる。
【００２５】
２つのプレート体４０，５０は、弧状の中間部位から両側に向かって徐々に平坦になる形状であり、弧状縁部４１，５１及び相対縁部４２，５２が周縁に形成され、弧状縁部４１，５１と相対縁部４２，５２とが交わる箇所に、２つの先端部４３，５３が設けられている。第１のプレート体４０の２つの先端部４３間の直線長さは、第１のプレート体４０を折り畳んでフード２０に収納することができるように、維持部２２の直径より小さい。同様に、形状が類似した第２のプレート体５０もフード２０中に折り畳んで収納することができる。特に、２つのプレート体４０，５０は、弧状縁部４１，５１の中段部に、湾曲して形成されたベース部４４，５４を有する。各ベース部４４，５４は、両側に向かってそれぞれ延伸された短軸４５，５５を有する。短軸４５，５５は、トーションバネ６０に貫設してから、軸ブロック３６中に対応するように挿入され、短軸４５，５５を軸心として用い、２つのプレート体４０，５０をフレーム３０に対して回動させることができる。また、各ベース部４４，５４は、維持部２２に当たって干渉されることがない。第１のプレート体４０の相対縁部４２には、薄い凸縁部４６が外側に延設され、凸縁部４６の内側面には、相対縁部４２に対応するように凹部空間が形成されている。第２のプレート体５０の相対縁部５２には、厚みが薄い積層部５６が外側に向かって延設され、積層部５６の外表面には、凹部空間が形成され、２つのプレート体４０，５０を折り畳んで互いに対向させて収納して凸縁部４６により積層部５６の上面を覆うと、２つのプレート体４０，５０の外表面は凹凸がない状態となる。
【００２６】
本実施形態の短軸４５，５５の形成方式は、一体成形だけに限定されるわけではなく、ピンを短軸４５，５５として用いた組み合わせ方式により、接続部３４の軸ブロック３６とベース部４４とに対応するように貫設させてもよいし、その他の軸着方式を利用してもよい。
【００２７】
以下、１つのプレート体を例に、引き起こして開く方式を説明する。図４に示すように、トーションバネ６０の両端には、第１の脚部６１及び第２の脚部６２が設けられる。第１の脚部６１は、フレーム３０の軸方向溝３７内に配置され、当接されて動かないため、始端部と見なすことができる。第２の脚部６２は、ベース部５４に貫設されて第２のプレート体５０の内側面に接触させ、第２のプレート体５０を常態下で外側に開いた状態にしたり、第２のプレート体５０を折り畳んで収納する際、押さえ付けられて同じ方向に揺動されて連動する関係であるため、遊端部と見なすことができる。外側に起こされる第２のプレート体５０は、フード２０の両側に配置された遮光部２４を用いて不必要な光線を遮断する機能を有するため、レンズにスミアが発生することを防ぎ、遮光効果を得ることができる上、レンズ上に水滴が着くことを防いで、良好な画質を得る。第２のプレート体５０を折り畳んで、フード２０の開口部を閉じると、トーションバネ６０に力が加えられて蓄勢し、反作用力が発生する。
【００２８】
図５及び図６を参照する。図５及び図６に示すように、閉じる動作の初期状態では、第１のプレート体４０は、凸縁部４６により第２のプレート体５０を押圧し、互いに隣接した先端部４３，５３は、切欠き部２８に通された後、２つのプレート体４０，５０を押さえ、フード２０のトラック２６が先端部４３，５３より高くなると、プレート体４０，５０の中間に設けられた隆起部位が制御され、一定の角度で時計回りに回転する（ストッパ部２７が設けられているため、プレート体４０，５０は逆時計回りに回転することがない）。
【００２９】
図７〜図９を参照する。図７〜図９に示すように、閉じる動作の後期状態では、先端部４３，５３がプレート体４０，５０の回転に伴い、トラック２６の下方に移動し、トーションバネ６０（図４参照）の蓄勢によりプレート体４０，５０が外側に開かれることを防ぐために、トラック２６に先端部４３，５３が係合される。２つのプレート体４０，５０が再び回転されて図５に示す状態になると、トーションバネ６０（図４参照）の蓄勢により、閉じられたレンズカバー１０の２つのプレート体４０，５０を外側に開くことができるため、操作が非常に簡単な上、レンズカバーの従来の構造を改善し、遮光カバーの効果を得ることができる。
【００３０】
本考案のレンズカバーは、様々な規格の監視装置又は撮影装置のレンズに取り付けて使用することができる。
【００３１】
図１２〜図１５に示すように、本考案の第２実施形態によるレンズカバー１０は、第１実施形態の構造と異なり、フード２０が一体形成されておらず、２つの独立した第１のユニット８０と第２のユニット８１とに分解することができる。
【００３２】
第１のユニット８０は、薄いリング状の結合部８２であり、両端部のうちの一方の端部には、半径方向に沿ってリング部８３が延設され、リング部８３の外縁に隣接した箇所には、等間隔に穿設された５つの維持部８５が設けられている。結合部８２の他方の端部には、互いに接続されていない２つの軌道片８７が内側面に立設されている。各軌道片８７は、Ｓ字状のプレートであり、互いに繋がっていない外軌道８８と内軌道８９とが設けられている。この外軌道８８（内軌道８９）は、もう一つの軌道片８７の内軌道８９（外軌道８８）に接続されて、曲折した軌跡が形成されている。
【００３３】
第２のユニット８１は、薄くてリング状の維持部８５であり、第１のユニット８０に対応した端部には、等間隔に突設された５つの係止部８６をリング部８３の係止孔８４に対応するように挿入して係合させることにより容易に外れないようにし、２つのユニット８０，８１を互いに組み合わせてフード２０を構成する。
【００３４】
フード２０の外軌道８８に、レンズ７０の周縁面に突設された２つの爪部７２を位置合わせして挿入した後、フード２０をレンズ７０に対して回転させると、内軌道８９の内部に爪部７２が挿入される。このように爪部７２は、軌道片８７により制限されて外れることを防ぐことができる上、レンズカバー１０をレンズ７０へ迅速に接続させることもできる。
【００３５】
ここで、外軌道８８から内軌道８９に入るため、各軌道片８７の互いに適宜な距離で離間された端部に、スイッチ９０と押圧部材９１とがそれぞれ取付けられる。
【００３６】
スイッチ９０の下方に延伸されたＬ字状の制止部９２は、結合部８２の孔部９３に貫設され、第１のユニット８０内部に深く挿入される。スイッチ９０が結合部８２の軸心方向で外側に変位すると、制止部９２が外軌道８８と内軌道８９とが交叉する箇所で止められ、爪部７２が内軌道８９から外軌道８８に戻ることを防ぐ。スイッチ９０が図１５の矢印方向に摺動されると、制止部９２が第２のユニット８１に向かって移動し、外軌道８８と内軌道８９とがスムーズに連通され、外軌道８８に爪部７２が戻ると、レンズカバー１０を取り外すことができる。また、制止部９２には、係合構造９４が成形されているため、孔部９３の周囲壁面に当接し、スイッチ９０が第１のユニット８０から外れることを防ぐことができる。
【００３７】
図１６に示すように、押圧部材９１は、Ｔ字状に形成され、第１のユニット８０に対応した嵌合溝９５に両端部を挿入する。これにより、押圧部材９１は、フック９６に係合され、それ自身が有する弾性力により、押圧部材９１及び爪部７２を介し、レンズ７０に第１のユニット８０を密着させる。
【００３８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３９】
１０  レンズカバー
２０  フード
２１  結合部
２２  維持部
２３  リング部
２４  遮光部
２５  内リング面
２６  トラック
２７  ストッパ部
２８  切欠き部
３０  フレーム
３１  第１の端部
３２  第２の端部
３３  ピン
３４  接続部
３５  溝部
３６  軸ブロック
３７  軸方向溝
４０  第１のプレート体
４１  弧状縁部
４２  相対縁部
４３  先端部
４４  ベース部
４５  短軸
４６  凸縁部
５０  第２のプレート体
５１  弧状縁部
５２  相対縁部
５３  先端部
５４  ベース部
５５  短軸
５６  積層部
６０  トーションバネ
６１  第１の脚部
６２  第２の脚部
７０  レンズ
７１  カメラ
７２  爪部
８０  第１のユニット
８１  第２のユニット
８２  結合部
８３  リング部
８４  係止孔
８５  維持部
８６  係止部
８７  軌道片
８８  外軌道
８９  内軌道
９０  スイッチ
９１  押圧部材
９２  制止部
９３  孔部
９４  係合構造
９５  嵌合溝
９６  フック
【図１】
0003171290.tif 000003
【図２】
0003171290.tif 000004
【図３】
0003171290.tif 000005
【図４】
0003171290.tif 000006
【図５】
0003171290.tif 000007
【図６】
0003171290.tif 000008
【図７】
0003171290.tif 000009
【図８】
0003171290.tif 000010
【図９】
0003171290.tif 000011
【図１０】
0003171290.tif 000012
【図１１】
0003171290.tif 000013
【図１２】
0003171290.tif 000014
【図１３】
0003171290.tif 000015
【図１４】
0003171290.tif 000016
【図１５】
0003171290.tif 000017
【図１６】
0003171290.tif 000018
【手続補正書】
【提出日】平成23年8月22日(2011.8.22)
【手続補正１】
【補正対象書類名】実用新案登録請求の範囲
【補正対象項目名】全文
【補正方法】変更
【補正の内容】
【実用新案登録請求の範囲】
【請求項１】
フード、フレーム及び２つのプレート体を備えるレンズカバーであって、 前記フードは、レンズに着脱自在に取り付けられる結合部と、半径方向に沿って前記結合部から外側に延伸されたリング部と、前記結合部より直径が大きく、前記リング部に接続された維持部と、前記維持部の前記内リング面に突設された２つのトラックと、前記トラックの端部間に形成された２つの切欠き部と、を有し、  前記フレームは、前記トラックと凹凸方式により係合される２つの溝部と、互いに対向するように内側面に突設された軸ブロックと、を有し、  前記プレート体のそれぞれは、前記軸ブロックに枢着する１対の短軸と、前記プレート体が折り畳まれると前記切欠き部を通過し、前記フレームが回転されると前記トラックに係合される２つの先端部と、を有することを特徴とするレンズカバー。
【請求項２】
前記結合部は、薄いリング状であり、一方の端部が前記リング部と一体成形され、他方の端部に軌道が形成され、前記リング部は、複数の係止孔を有し、前記係止孔と同じ数の係止部を有する前記維持部と係合されることを特徴とする請求項１に記載のレンズカバー。
【請求項３】
前記結合部、前記リング部及び前記維持部は、一体成形されることを特徴とする請求項１に記載のレンズカバー。
【請求項４】
前記維持部は、互いに対向した２つの遮光部が縁部にそれぞれ突設され、突設された前記トラックを有し、前記フレームの前記フードが回転される際にストッパ部により規制されることを特徴とする請求項１、２又は３に記載のレンズカバー。
【請求項５】
前記フレームは、１対の接続部を有し、前記１対の接続部は、前記フレームの周縁に互いに対向して突設され、前記フレームは、前記フード内で回転されると、前記ストッパ部に接触し、前記接続部の外表面には、前記維持部に対応するように前記溝部が凹設され、前記接続部の内側に前記軸ブロックが突設されることを特徴とする請求項４に記載のレンズカバー。
【請求項６】
前記プレート体は、前記軸ブロックのトーションバネに貫設される短軸を有し、前記トーションバネは、前記フレームに当接される第１の脚部と、前記プレート体に当接される第２の脚部と、を有することを特徴とする請求項１に記載のレンズカバー。
【請求項７】
前記プレート体の周縁には、弧状縁部及び相対縁部が設けられ、前記弧状縁部と前記相対縁部との接続箇所には、先端部がそれぞれ形成され、前記フード内に前記プレート体を折り畳んで収納することが可能なように、前記先端部間の直線長さが前記維持部の直径より小さいことを特徴とする請求項１又は６に記載のレンズカバー。
【請求項８】
一方の前記プレート体には、折り畳んだときに、他方の前記プレート体の積層部上を覆う凸縁部を有することを特徴とする請求項７に記載のレンズカバー。
【請求項９】
前記凸縁部は、前記一方のプレート体の前記相対縁部の表面から外側に延伸され、  前記積層部は、前記他方のプレート体の前記相対縁部から外側に延伸されることを特徴とする請求項８に記載のレンズカバー。